(57)【要約】  本発明は、ダミーパイロット信号を利用して広帯域符号分割多重接続網（ＷＣＤＭＡ網）から符号分割多重接続網（ＣＤＭＡ−２０００網）にハンドオーバーする方法及びシステムに関するものである。  本発明は、ダミーパイロット信号を利用してＷＣＤＭＡ網からＣＤＭＡ−２０００網へのハンドオーバーを実行する方法であって、（ａ）マルチモード端末機がＷＣＤＭＡ信号レベル測定メッセージを受信し、ＷＣＤＭＡ信号レベル測定メッセージから所定レベル以上のダミーパイロット信号を検知した場合、マルチモード端末機に装着されたＣＤＭＡ−２０００モデムを起動し、ＷＣＤＭＡシステムにダミーパイロット信号のレベル値を送信するステップと、（ｂ）ＷＣＤＭＡシステムでダミーパイロット信号のレベル値に基づいてハンドオーバーを実行するか否かを判断するステップと、（ｃ）ステップ（ｂ）の判断の結果、ハンドオーバーを行うと判断された場合、ＷＣＤＭＡシステムからＣＤＭＡ−２０００システムにハンドオーバー要求メッセージを送信するステップと、（ｄ）ＷＣＤＭＡシステムからマルチモード端末機にハンドオーバー命令メッセージを送信するステップと、（ｅ）マルチモード端末機のＣＤＭＡ−２０００モデムにトラフィックを切替えることを許可するステップと、を含むことを特徴とする、ダミーパイロット信号を利用したＷＣＤＭＡ網からＣＤＭＡ−２０００網へのハンドオーバー実行方法及びシステムに関するものである。
2007511952.tif 000002
【特許請求の範囲】
【請求項１】
ダミーパイロット信号を利用してＷＣＤＭＡ網からＣＤＭＡ−２０００網へのハンドオーバーを実行する方法であって：
（ａ）マルチモード端末機でＷＣＤＭＡ信号レベル測定メッセージを受信し、前記ＷＣＤＭＡ信号レベル測定メッセージから所定レベル以上の前記ダミーパイロット信号を検知した場合、前記マルチモード端末機に装着されたＣＤＭＡ−２０００モデムを起動し、ＷＣＤＭＡシステムに前記ダミーパイロット信号のレベル値を送信するステップと；
（ｂ）前記ＷＣＤＭＡシステムから受信した前記ダミーパイロット信号のレベル値に基づいて、ハンドオーバーを実行するか否かを判断するステップと；
（ｃ）前記ステップ（ｂ）の判断の結果、ハンドオーバーを実行すると判断された場合、前記ＷＣＤＭＡシステムからＣＤＭＡ−２０００システムにハンドオーバー要求メッセージを送信するステップと；
（ｄ）前記ＷＣＤＭＡシステムから前記マルチモード端末機にハンドオーバー命令メッセージを送信するステップと；
（ｅ）前記マルチモード端末機の前記ＣＤＭＡ−２０００モデムにトラフィックを切替えることを許可するステップと；
を含むことを特徴とする、ＷＣＤＭＡ網からＣＤＭＡ−２０００網へのハンドオーバー実行方法。
【請求項２】
前記ステップ（ｃ）は、
（ｃ１）前記ステップ（ｂ）の判断の結果、ハンドオーバーを実行すると判断された場合、前記ＷＣＤＭＡシステムからプロトコル変換機に前記ハンドオーバー要求メッセージを送信するステップと；
（ｃ２）前記プロトコル変換機で前記ハンドオーバー要求メッセージをプロトコル変換するステップと；
（ｃ３）前記プロトコル変換機から前記ＣＤＭＡ−２０００システムに前記プロトコル変換されたハンドオーバー要求メッセージを送信するステップと；
を含むことを特徴とする、請求項１に記載のＷＣＤＭＡ網からＣＤＭＡ−２０００網へのハンドオーバー実行方法。
【請求項３】
前記ＷＣＤＭＡ信号レベル測定メッセージは、前記マルチモード端末機が検索するべき周辺基地局の情報及び前記ダミーパイロット信号の情報を含むことを特徴とする、請求項１に記載のＷＣＤＭＡ網からＣＤＭＡ−２０００網へのハンドオーバー実行方法。
【請求項４】
前記ダミーパイロット信号は、ＷＣＤＭＡパイロット信号を含むことを特徴とする、請求項１に記載のＷＣＤＭＡ網からＣＤＭＡ−２０００網へのハンドオーバー実行方法。
【請求項５】
前記ダミーパイロット信号は、前記ＷＣＤＭＡ網と前記ＣＤＭＡ−２０００網の境界地域にある前記ＣＤＭＡ−２０００システムから送信されることを特徴とする、請求項１に記載のＷＣＤＭＡ網からＣＤＭＡ−２０００網へのハンドオーバー実行方法。
【請求項６】
前記ダミーパイロット信号は、所定のスクランブルコードを含むことを特徴とする、請求項１に記載のＷＣＤＭＡ網からＣＤＭＡ−２０００網へのハンドオーバー実行方法。
【請求項７】
前記ＷＣＤＭＡシステムは、
前記マルチモード端末機から前記ダミーパイロット信号のレベル値を受信し、前記ダミーパイロット信号のレベル値を送信する基地局と；
前記基地局から前記ダミーパイロット信号のレベル値を受信し、前記マルチモード端末機のためにハンドオーバーを実行するか否かを判断し、ハンドオーバー要求メッセージまたはハンドオーバー命令メッセージを送信する無線網制御部と；
を含むことを特徴とする、請求項１に記載のＷＣＤＭＡ網からＣＤＭＡ−２０００網へのハンドオーバー実行方法。
【請求項８】
前記ＣＤＭＡ−２０００システムは、
前記ダミーパイロット信号を前記マルチモード端末機に送信する基地局伝送器と；
前記ＷＣＤＭＡシステムから前記ハンドオーバー要求メッセージを受信する基地局制御器と；
を含むことを特徴とする、請求項１に記載のＷＣＤＭＡ網からＣＤＭＡ−２０００網へのハンドオーバー実行方法。
【請求項９】
前記ステップ（ａ）において、
前記マルチモード端末機は共同パイロットチャンネルを定期的に検索し、前記ＷＣＤＭＡ信号レベル測定メッセージを受信することを特徴とする、請求項１に記載のＷＣＤＭＡ網からＣＤＭＡ−２０００網へのハンドオーバー実行方法。
【請求項１０】
前記ステップ（ｄ）において、
前記マルチモード端末機が前記ハンドオーバー命令メッセージを受信した場合、前記マルチモード端末機の前記ＣＤＭＡ−２０００モデムは起動され、前記マルチモード端末機のＷＣＤＭＡモデムは停止されることを特徴とする、請求項１に記載のＷＣＤＭＡ網からＣＤＭＡ−２０００網へのハンドオーバー実行方法。
【請求項１１】
ハンドオーバーを実行するか否かを判断するＷＣＤＭＡシステムと、ダミーパイロット信号を送信するＣＤＭＡ−２０００システムと、ＷＣＤＭＡモデム及びＣＤＭＡ−２０００モデムを含むマルチモード端末機とを利用して、ＷＣＤＭＡ網からＣＤＭＡ−２０００網へのハンドオーバーを実行する方法であって：
（ａ）前記マルチモード端末機でＷＣＤＭＡ信号レベル測定メッセージを受信するステップと；
（ｂ）前記ＷＣＤＭＡ信号レベル測定メッセージから前記ダミーパイロット信号を検知し、前記ダミーパイロット信号のレベル値と所定のしきい値とを比較するステップと；
（ｃ）前記ダミーパイロット信号のレベル値が前記所定のしきい値より大きい場合、前記ＣＤＭＡ−２０００モデムを起動し、前記ダミーパイロット信号のレベル値を前記ＷＣＤＭＡシステムに送信するステップと；
（ｄ）前記ＷＣＤＭＡシステムで前記ダミーパイロット信号のレベル値に基づいてハンドオーバーを実行するか否かを判断するステップと；
（ｅ）前記ステップ（ｄ）の判断の結果、ハンドオーバーを実行すると判断された場合、前記ＣＤＭＡ−２０００システムにハンドオーバー要求メッセージを送信するステップと；
（ｆ）前記ＷＣＤＭＡシステムから前記マルチモード端末機にハンドオーバー命令メッセージを送信するステップと；
（ｇ）前記マルチモード端末機の前記ＣＤＭＡ−２０００モデムにトラフィックを切り替えることを許可するステップと；
を含むことを特徴とする、ＷＣＤＭＡ網からＣＤＭＡ−２０００網へのハンドオーバー実行方法。
【請求項１２】
前記（ｅ）ステップは、
（ｅ１）前記ステップ（ｄ）の判断結果、ハンドオーバーを実行すると判断された場合、プロトコル変換機に前記ハンドオーバー要求メッセージを送信するステップと；
（ｅ２）前記プロトコル変換機で前記ハンドオーバー要求メッセージをプロトコル変換するステップと；
（ｅ３）前記プロトコル変換機で前記ＣＤＭＡ−２０００システムに前記プロトコル変換されたハンドオーバー要求メッセージを送信するステップと；
を含むことを特徴とする、請求項１１に記載のＷＣＤＭＡ網からＣＤＭＡ−２０００網へのハンドオーバー実行方法。
【請求項１３】
前記ＷＣＤＭＡ信号レベル測定メッセージは、前記マルチモード端末機が検索するべき周辺基地局の情報及び前記ダミーパイロット信号の情報を含むことを特徴とする、請求項１１に記載のＷＣＤＭＡ網からＣＤＭＡ−２０００網へのハンドオーバー実行方法。
【請求項１４】
前記ダミーパイロット信号は、ＷＣＤＭＡパイロット信号を含むことを特徴とする、請求項１１に記載のＷＣＤＭＡ網からＣＤＭＡ−２０００網へのハンドオーバー実行方法。
【請求項１５】
前記ダミーパイロット信号は、前記ＷＣＤＭＡ網と前記ＣＤＭＡ−２０００網との境界地域にある前記ＣＤＭＡ−２０００システムから送信されることを特徴とする、請求項１１に記載のＷＣＤＭＡ網からＣＤＭＡ−２０００網へのハンドオーバー実行方法。
【請求項１６】
前記ダミーパイロット信号は、所定のスクランブルコードを含むことを特徴とする、請求項１１に記載のＷＣＤＭＡ網からＣＤＭＡ−２０００網へのハンドオーバー実行方法。
【請求項１７】
前記ＷＣＤＭＡシステムは、
前記マルチモード端末機から前記ダミーパイロット信号のレベル値を受信し、前記ダミーパイロット信号のレベル値を送信する基地局と；
前記基地局から前記ダミーパイロット信号のレベル値を受信し、前記マルチモード端末機のためにハンドオーバーを実行するか否かを判断し、前記ハンドオーバー要求メッセージまたは前記ハンドオーバー命令メッセージを送信する無線網制御部と；
を含むことを特徴とする、請求項１１に記載のＷＣＤＭＡ網からＣＤＭＡ−２０００網へのハンドオーバー実行方法。
【請求項１８】
前記ＣＤＭＡ−２０００システムは、
前記ダミーパイロット信号を前記マルチモード端末機に送信する基地局伝送器と；
前記ＷＣＤＭＡシステムから前記ハンドオーバー要求メッセージを受信する基地局制御器と；
を含むことを特徴とする、請求項１１に記載のＷＣＤＭＡ網からＣＤＭＡ−２０００網へのハンドオーバー実行方法。
【請求項１９】
前記ステップ（ａ）において、
前記マルチモード端末機は、共同パイロットチャンネルを定期的に検索し、前記ＷＣＤＭＡ信号レベル測定メッセージを受信することを特徴とする、請求項１１に記載のＷＣＤＭＡ網からＣＤＭＡ−２０００網へのハンドオーバー実行方法。
【請求項２０】
前記ステップ（ｆ）において、
前記マルチモード端末機が前記ハンドオーバー命令メッセージを受信した場合、前記マルチモード端末機の前記ＣＤＭＡ−２０００モデムは起動され、前記マルチモード端末機のＷＣＤＭＡモデムは停止されることを特徴とする、請求項１１に記載のＷＣＤＭＡ網からＣＤＭＡ−２０００網へのハンドオーバー実行方法。
【請求項２１】
ダミーパイロット信号を利用してＷＣＤＭＡ網からＣＤＭＡ−２０００網へのハンドオーバーを実行するシステムであって：
ＷＣＤＭＡ信号レベル測定メッセージを受信し、前記ＷＣＤＭＡ信号レベル測定メッセージから所定レベル以上の前記ダミーパイロット信号を検知した場合、内蔵されたＣＤＭＡ−２０００モデムを起動し、前記ダミーパイロット信号のレベル値を送信するマルチモード端末機と；
前記マルチモード端末機から前記ダミーパイロット信号のレベル値を受信し、ハンドオーバーを実行するか否かを判断し、ハンドオーバー要求メッセージまたはハンドオーバー命令メッセージを送信するＷＣＤＭＡシステムと；
前記ダミーパイロット信号を前記マルチモード端末機に送信するＣＤＭＡ−２０００システムと；
を含むことを特徴とする、ＷＣＤＭＡ網からＣＤＭＡ−２０００網へのハンドオーバー実行システム。
【請求項２２】
前記ＷＣＤＭＡシステムと前記ＣＤＭＡ−２０００システムとの間に送受信されるメッセージのプロトコルを変換するプロトコル変換機を更に含むことを特徴とする、請求項２１に記載のＷＣＤＭＡ網からＣＤＭＡ−２０００網へのハンドオーバー実行システム。
【請求項２３】
前記マルチモード端末機は、同期式ＣＤＭＡ−２０００サービス及び非同期式ＷＣＤＭＡサービスの両方を利用することが可能であり、２つ以上の周波数帯域を利用することを特徴とする、請求項２１に記載のＷＣＤＭＡ網からＣＤＭＡ−２０００網へのハンドオーバー実行システム。
【請求項２４】
前記マルチモード端末機が前記ハンドオーバー命令メッセージを受信したとき、前記マルチモード端末機の前記ＣＤＭＡ−２０００モデムにトラフィックが切り替えられることを特徴とする、請求項２１に記載のＷＣＤＭＡ網からＣＤＭＡ−２０００網へのハンドオーバー実行システム。
【請求項２５】
前記ＷＣＤＭＡ信号レベル測定メッセージは、前記マルチモード端末機が検索するべき周辺基地局の情報及び前記ダミーパイロット信号の情報を含むことを特徴とする、請求項２１に記載のＷＣＤＭＡ網からＣＤＭＡ−２０００網へのハンドオーバー実行システム。
【請求項２６】
前記ダミーパイロット信号は、ＷＣＤＭＡパイロット信号を含むことを特徴とする、請求項２１に記載のＷＣＤＭＡ網からＣＤＭＡ−２０００網へのハンドオーバー実行するシステム。
【請求項２７】
前記ダミーパイロット信号は、前記ＷＣＤＭＡ網と前記ＣＤＭＡ−２０００網との境界地域にある前記ＣＤＭＡ−２０００システムから送信されることを特徴とする、請求項２１に記載のＷＣＤＭＡ網からＣＤＭＡ−２０００網へのハンドオーバー実行システム。
【請求項２８】
前記ダミーパイロット信号は、所定のスクランブルコードを含むことを特徴とする、請求項２１に記載のＷＣＤＭＡ網からＣＤＭＡ−２０００網へのハンドオーバー実行システム。
【請求項２９】
前記ＷＣＤＭＡシステムは、
前記マルチモード端末機から前記ダミーパイロット信号のレベル値を受信し、受信した前記ダミーパイロット信号のレベル値を送信する基地局と；
前記基地局から前記ダミーパイロット信号のレベル値を受信し、前記マルチモード端末機のためにハンドオーバーを実行するか否かを判断し、前記ハンドオーバー要求メッセージまたは前記ハンドオーバー命令メッセージを送信する無線網制御部と；
を含むことを特徴とする、請求項２１に記載のＷＣＤＭＡ網からＣＤＭＡ−２０００網へのハンドオーバー実行システム。
【請求項３０】
前記ＣＤＭＡ−２０００システムは、
前記ダミーパイロット信号を前記マルチモード端末機に送信する基地局伝送器と；
前記ＷＣＤＭＡシステムから前記ハンドオーバー要求メッセージを受信する基地局制御器と、
を含むことを特徴とする、請求項２１に記載のＷＣＤＭＡ網からＣＤＭＡ−２０００網へのハンドオーバー実行システム。
【請求項３１】
前記マルチモード端末機は、共同パイロットチャンネルを定期的に検索し、前記ＷＣＤＭＡ信号レベル測定メッセージを受信することを特徴とする、請求項２１に記載のＷＣＤＭＡ網からＣＤＭＡ−２０００網へのハンドオーバー実行システム。
【請求項３２】
前記マルチモード端末機が前記ハンドオーバー命令メッセージを受信したとき、前記マルチモード端末機の前記ＣＤＭＡ−２０００モデムは起動され、前記マルチモード端末機のＷＣＤＭＡモデムは停止されることを特徴とする、請求項２１に記載のＷＣＤＭＡ網からＣＤＭＡ−２０００網へのハンドオーバー実行システム。
【請求項３３】
ダミーパイロット信号を利用してＷＣＤＭＡ網からＣＤＭＡ−２０００網へのハンドオーバーを実行するためのＷＣＤＭＡシステムであって：
マルチモード端末機から前記ダミーパイロット信号のレベル値を受信し、受信した前記ダミーパイロット信号を送信する基地局と；
前記基地局から前記ダミーパイロット信号のレベル値を受信し、前記マルチモード端末機のためにハンドオーバーを実行するか否かを判断し、ハンドオーバー要求メッセージまたはハンドオーバー命令メッセージを送信する無線網制御部と；
を含むことを特徴とする、ＷＣＤＭＡシステム。
【請求項３４】
前記マルチモード端末機は、同期式ＣＤＭＡ−２０００サービス及び非同期式ＷＣＤＭＡサービスの両方を利用することが可能であり、２つ以上の周波数帯域を利用することを特徴とする、請求項３３に記載のＷＣＤＭＡシステム。
【請求項３５】
前記マルチモード端末機が前記ハンドオーバー命令メッセージを受信したとき、前記マルチモード端末機のＣＤＭＡ−２０００モデムにトラフィックが切り替えられることを特徴とする、請求項３３に記載のＷＣＤＭＡシステム。
【請求項３６】
前記ダミーパイロット信号は、ＷＣＤＭＡパイロット信号を含むことを特徴とする、請求項３３に記載のＷＣＤＭＡシステム。
【請求項３７】
前記ダミーパイロット信号は、所定のスクランブルコードを含むことを特徴とする、請求項３３に記載のＷＣＤＭＡシステム。
【請求項３８】
前記マルチモード端末機が前記ハンドオーバー命令メッセージを受信したとき、前記マルチモード端末機のＣＤＭＡ−２０００モデムは起動され、前記マルチモード端末機のＷＣＤＭＡモデムは停止されることを特徴とする、請求項３３に記載のＷＣＤＭＡシステム。
【請求項３９】
ダミーパイロット信号を利用してＷＣＤＭＡ網からＣＤＭＡ−２０００網へのハンドオーバーを実行するためのＣＤＭＡ−２０００システムであって：
事前に割り当てられた所定のスクランブルコードを含むＷＣＤＭＡパイロット信号である前記ダミーパイロット信号を、マルチモード端末機に送信する基地局伝送器と；
ＷＣＤＭＡシステムからハンドオーバー要求メッセージを受信する基地局制御器と；
を含むことを特徴とする、ＣＤＭＡ−２０００システム。
【請求項４０】
前記マルチモード端末機は、同期式ＣＤＭＡ−２０００サービス及び非同期式ＷＣＤＭＡサービスの両方を利用することが可能であり、２つ以上の周波数帯域を利用することを特徴とする、請求項３９に記載のＣＤＭＡ−２０００システム。
【請求項４１】
前記マルチモード端末機がハンドオーバー命令メッセージを受信したとき、前記マルチモード端末機のＣＤＭＡ−２０００モデムにトラフィックが切り替えられることを特徴とする、請求項３９に記載のＣＤＭＡ−２０００システム。
【請求項４２】
トラフィックがＣＤＭＡ−２０００モデムに切り替えられたとき、前記マルチモード端末機は、内蔵されたＷＣＤＭＡモデムを停止させることを特徴とする、請求項３９に記載のＣＤＭＡ−２０００システム。
【請求項４３】
前記マルチモード端末機は、共同パイロットチャンネルを定期的に検索し、前記ダミーパイロット信号を受信することを特徴とする、請求項３９に記載のＣＤＭＡ−２０００システム。
【請求項４４】
前記マルチモード端末機がハンドオーバー命令メッセージを受信したとき、前記マルチモード端末機のＣＤＭＡ−２０００モデムは起動され、前記マルチモード端末機のＷＣＤＭＡモデムは停止されることを特徴とする、請求項３９に記載のＣＤＭＡ−２０００システム。
【請求項４５】
同期式ＣＤＭＡ−２０００サービス及び非同期式ＷＣＤＭＡサービスの両方を利用可能であり、２つ以上の周波数帯域を利用するマルチモード端末機であって：
ＣＤＭＡ−２０００信号及びＷＣＤＭＡ信号のうち少なくともいずれか一方を送受信するＲＦアンテナと；
前記ＲＦアンテナから送信されるダミーパイロット信号を受信及び復調し、復調されたダミーパイロット信号を出力するＲＦ送受信部と；
前記復調されたダミーパイロット信号の強度を測定するパイロット信号測定部と；
前記ＲＦ送受信部から受信したディジタル信号を処理し、ＷＣＤＭＡ規格及びＣＤＭＡ−２０００規格でそれぞれ定義されたプロトコルに従って呼処理を行うＷＣＤＭＡモデム及びＣＤＭＡ−２０００モデムと；
ＷＣＤＭＡシステムの命令によって前記ＷＣＤＭＡモデムと前記ＣＤＭＡ−２０００モデムとの間の切替を行うモデム間切替プログラムが格納されているフラッシュメモリと；
所定レベル以上の前記ダミーパイロット信号が検知された場合、前記ＣＤＭＡ−２０００モデムを起動し、前記ＷＣＤＭＡシステムに前記ダミーパイロット信号のレベル値が送信されるように制御する制御部と；
を含むことを特徴とする、マルチモード端末機。
【請求項４６】
前記マルチモード端末機が前記ＷＣＤＭＡシステムからハンドオーバー命令メッセージを受信した場合、前記制御部は、前記モデム間切替プログラムをロードし、前記ＣＤＭＡ−２０００モデムが起動されるように制御し、前記ＷＣＤＭＡモデムが停止されるように制御することを特徴とする、請求項４５に記載のマルチモード端末機。
【請求項４７】
前記ダミーパイロット信号は、ＷＣＤＭＡパイロット信号を含むことを特徴とする、請求項４５に記載のマルチモード端末機。
【請求項４８】
前記ダミーパイロット信号は、ＷＣＤＭＡ網とＣＤＭＡ−２０００網との境界地域にあるＣＤＭＡ−２０００システムから送信されることを特徴とする、請求項４５に記載のマルチモード端末機。
【請求項４９】
前記ダミーパイロット信号は、事前に割り当てられてた所定のスクランブルコードを含むことを特徴とする、請求項４５に記載のマルチモード端末機。
【請求項５０】
前記ＷＣＤＭＡシステムは、
前記マルチモード端末機から前記ダミーパイロット信号のレベル値を受信し、前記受信したダミーパイロット信号のレベル値を送信する基地局と；
前記基地局から前記ダミーパイロット信号のレベル値を受信し、前記マルチモード端末機のためにハンドオーバーを実行するか否かを判断し、ハンドオーバー要求メッセージまたはハンドオーバー命令メッセージを送信する無線網制御部と；
を含むことを特徴とする、請求項４５に記載のマルチモード端末機。
【請求項５１】
前記マルチモード端末機は、共同パイロットチャンネルを定期的に検索し、前記ＣＤＭＡ−２０００信号及び前記ＷＣＤＭＡ信号のうち少なくともいずれか一方を受信することを特徴とする、請求項４５に記載のマルチモード端末機。
【発明の詳細な説明】
【技術分野】
【０００１】
本発明は、ダミーパイロット信号を利用して広帯域符号分割多重接続（ＷＣＤＭＡ：Wideband Code Division Multiple Access）網から符号分割多重接続（ＣＤＭＡ−２０００：Code Division Multiple Access）網にハンドオーバーする方法及びシステムに関し、より詳細には、ＣＤＭＡ−２０００システムからＷＣＤＭＡの所定のパイロット信号であるダミーパイロット信号を送出するようにすることによって、ＣＤＭＡ−２０００網の信号を検出しなくてもダミーパイロット信号の強度を利用してＷＣＤＭＡ網からＣＤＭＡ−２０００網へのハンドオーバーを実行可能にする方法及びシステムに関する。
【背景技術】
【０００２】
移動通信サービスは、１９８０年代後半からサービスの提供が始まったアナログセルラー方式のＡＭＰＳ（ＡＭＰＳ：Advanced Mobile Phone Service）から提供される低品質の音声通話中心の第１世代移動通信サービスから継続的に発展している。第２世代の移動通信サービスでは、ディジタルセルラー方式のＧＳＭ（ＧＳＭ：Global System for Mobile）、ＣＤＭＡ（ＣＤＭＡ：Code Division Multiple Access）、ＴＤＭＡ（ＴＤＭＡ：Time Division Multiple Access）などを通して提供される高度な音声通話及び低速（１４．４Ｋｂｐｓ）のデータサービスが可能であった。また、第２．５世代の移動通信サービスでは、ＧＨｚ帯の周波数の確保と共に、全世界的に使用可能なＰＣＳ（ＰＣＳ：Personal Communication Service）の開発によって、高度な音声通話及び低速（１４４Ｋｂｐｓ）のデータサービスも可能になった。
【０００３】
第１世代から第２．５世代までの移動通信サービスのための移動通信網には、使用者端末機、基地局伝送器（ＢＴＳ：Base Transceiver Systems）、基地局制御器（ＢＴＣ：Base Station Controller）、移動交換局（ＭＳＣ：Mobile Switching Centers）、ホーム位置登録器（ＨＬＲ：Home Location Register）、訪問者位置登録器（ＶＬＲ：Visitor Location Register）などの各種通信装備が設置されている。
【０００４】
第３世代の移動通信サービスは、３ＧＰＰ（３ＧＰＰ：3rd-Generation Partnership Project）が主軸になって提案した非同期方式のＷＣＤＭＡシステムと、３ＧＰＰ２が主軸になって提案した同期方式のＣＤＭＡ−２０００システムとに分類されて提供されている。特に、ＷＣＤＭＡシステムは、ＩＭＴ−２０００が推奨する無線プロトコルであって、全世界的に多くの通信サービス事業者がサービスを提供しているか、あるいはサービス提供を準備している。
【０００５】
現在、ＣＤＭＡ−２０００システムは、既に大韓民国において構築されており、全国を網羅しているため、サービスエリアが広い。さらに、ＣＤＭＡ−２０００システムはＥＶ−ＤＯ方式を採用しているため、順方向で最高２．４Ｍｂｐｓの高い伝送率を表すという長所を持っている。しかしながら、無線環境によって伝送率の変化幅が大きいため、画像電話のように高いサービス品質（ＱｏＳ：Quality of Service）が要求されるサービスには適合しないという問題がある。
【０００６】
一方、ＷＣＤＭＡシステムは、高い通話品質を有し、スペクトラム拡散方式を使用しているので、大量のデータ伝送にも適するという長所を有する。さらに、ＷＣＤＭＡ通信方式は、音声コーディングのために３２ＫｂｐｓのＡＤＰＣＭ（ＡＤＰＣＭ：Adaptive Differential Pulse Code Modulation）方式を採用しており、使用者が時速１００Ｋｍ程度の速度で動いても通話が可能な程度の高い移動性を支援するので、画像電話のようなリアルタイムサービスに適している。また、ＷＣＤＭＡ通信方式は多くの国で採用されており、大韓民国、ヨーロッパ、日本、米国、中国などの多くの機関が構成した３ＧＰＰでＷＣＤＭＡのための技術スペックが継続的に開発されている。しかしながら、ＷＣＤＭＡシステムは、商用化のために多額の初期投資費用が必要とされるため、全国的なサービスを提供することは困難である。
【０００７】
したがって、ＩＭＴ−２０００の初期には、ＷＣＤＭＡ網がＣＤＭＡ−２０００網と共存し、それによって、マルチモードの端末機を利用したサービスが登場することと予想される。この際、音声サービスや高速インターネット接続サービスなどは、ＣＤＭＡ−２０００網を利用し、テレビ電話など高いＱｏＳを保障しなければならないサービスはＷＣＤＭＡ網を利用すれば、２つのネットワークのそれぞれの長所を有効に生かすことができる。このような長所により、現在ＣＤＭＡ−２０００サービスを基本的に提供する大韓民国、日本、米国、中国などの国でも、ＷＣＤＭＡ網を構築してＷＣＤＭＡサービスを提供し始めている。
【０００８】
このように、ＣＤＭＡ−２０００サービスとＷＣＤＭＡサービスの両方に対応するためには、マルチモード（Multimode）端末機が必要である。マルチモード端末機はマルチモードとマルチバンド（Multiband）を支援する通信端末機である。ここで、マルチモードは同期式モードと非同期式モードなどを含む。さらに、マルチバンドを用いたサービスは、８００ＭＨｚの周波数帯域を利用する第２世代の移動通信サービス、１．８ＧＨｚの周波数帯域を利用する第２．５世代の移動通信サービス、約２ＧＨｚの周波数帯域を利用する第３世代の移動通信サービス及び今後提供される第４世代の移動通信サービスを含む。マルチモード端末機は、端末機が位置する地域で提供されている通信サービスの種類によって、ＷＣＤＭＡモードやＣＤＭＡ−２０００モードなどに切り替え、切り替えたモードで動作する。このために、マルチモード端末機は、ＷＣＤＭＡモデムとＣＤＭＡ−２０００モデムの両方を含んでいる。この場合、２つのモデムを同時に使用することになれば、マルチモード端末機は大量の電力を消耗する。したがって、バッテリーの寿命は、非常に短くなり、その結果、２つのモデムのうち常に１つのモデムのみ起動し、それによって、ＣＤＭＡ−２０００網とＷＣＤＭＡ網とに同時に接続することはできなくなる。
【０００９】
図１は、ＣＤＭＡ−２０００網及びＷＣＤＭＡ網が共存する移動通信網を示すが略図である。
【００１０】
ＷＣＤＭＡサービスは、ＣＤＭＡ−２０００サービスが提供されているＣＤＭＡ−２０００地域１１０の一部の領域で提供されている。ＷＣＤＭＡサービスが提供されているＣＤＭＡ−２０００地域１１０内の地域を、オーバーレイ地域１２０及び１３０という。即ち、使用者はオーバーレイ地域１２０及び１３０内では、提供されているＣＤＭＡ−２０００サービス及びＷＣＤＭＡサービスのうち、希望する１つのサービスを選択的に受けることができる。さらに、ＣＤＭＡ−２０００サービス及びＷＣＤＭＡサービスを利用するためには、前述したマルチモード端末機１２４を使用する必要がある。
【００１１】
ここで、ＷＣＤＭＡ網が全国網ではない段階では、図１に示すように、マルチモード端末機１２４がオーバーレイ地域１２０及び１３０からＷＣＤＭＡサービスが提供されていないＣＤＭＡ−２０００地域１１０へ移動する場合、ＷＣＤＭＡ網の境界地域１３０でハンドオーバーが支援されていないならば、呼が中断される問題が発生する。即ち、ＷＣＤＭＡシステムに属する無線網制御部（ＲＮＣ：Radio Network Controller）１２２の制御によってサービスを受信していたマルチモード端末機１２４がＣＤＭＡ−２０００地域１１０へ移動するとき、マルチモード端末機１２４は、ＣＤＭＡ−２０００システムに属する基地局制御器（ＢＳＣ：Base Station Controller）によって制御される基地局伝送器（ＢＴＳ：Base Transceiver System）１１２及び１１４と信号を送受信しなければならない。したがって、呼切断のないサービスを提供するためには、境界地域１３０においてハンドオーバーを支援しなければならないのである。
【００１２】
ところが、ＷＣＤＭＡ方式とＣＤＭＡ−２０００方式とは、無線伝送方式及びプロトコルが互いに完全に異なる技術であるので、このような異質の網間でハンドオーバーを実行するためには、様々な条件が満足されなければならない。
【００１３】
まず、マルチモード端末機１２４は、ＷＣＤＭＡ方式による通話中に、ＣＤＭＡ−２０００網の信号を検知できなければならない。しかしながら、前述したように、現在マルチモード端末機１２４は、ＷＣＤＭＡモデムとＣＤＭＡ−２０００モデムとのうち、常に１つのモデムのみ起動するようにされており、それによってＣＤＭＡ−２０００網及びＷＣＤＭＡ網に同時に接続することができない。したがって、マルチモード端末機１２４は、ＷＣＤＭＡ方式による通話中にＣＤＭＡ−２０００網の信号を検知できないという問題がある。
【００１４】
また、ＷＣＤＭＡ網とＣＤＭＡ−２０００網との間でハンドオーバーを実行するためには、マルチモード端末機１２４とネットワークとの間でハンドオーバーのためのメッセージを定義しなければならない。ここで、ＷＣＤＭＡ方式及びＣＤＭＡ−２０００方式は、現在国際標準規格によって定義され運営されている。しかし、国際標準規格には、ＷＣＤＭＡ網とＣＤＭＡ−２０００網との間でハンドオーバーの実行に用いられるメッセージが定義されていない。仮りに、このようなメッセージを局所的に定義することになれば、今後、端末機のローミングなどに大きな問題が生じる可能性がある。
【００１５】
また、ＷＣＤＭＡ網とＣＤＭＡ−２０００網との間でハンドオーバーを実行するためには、ＷＣＤＭＡシステムがＣＤＭＡ−２０００システムと連動しなければならないが、２つの異質なシステム間でそのような連動をさせることは不可能である。
【発明の開示】
【発明が解決しようとする課題】
【００１６】
上述した問題を解決するために、本発明の目的とするところは、ＣＤＭＡ−２０００システムにおいて、ＷＣＤＭＡの特定のパイロット信号であるダミーパイロット信号を送信するようにすることによって、ＣＤＭＡ−２０００網の信号を検知しなくてもダミーパイロット信号の強度を利用してＷＣＤＭＡ網からＣＤＭＡ−２０００網へのハンドオーバー実行を可能にする方法及びシステムを提供することにある。
【課題を解決するための手段】
【００１７】
本発明のある観点によれば、ダミーパイロット信号（Dummy Pilot Signal）を利用して広帯域符号分割多重接続網（ＷＣＤＭＡ Network）から符号分割多重接続網（ＣＤＭＡ−２０００ Network）へのハンドオーバーを実行する方法であって、（ａ）マルチモード（Multimode）端末機でＷＣＤＭＡ信号レベル測定メッセージを受信し、ＷＣＤＭＡ信号レベル測定メッセージから所定レベル以上のダミーパイロット信号を感知した場合、マルチモード端末機に装着されたＣＤＭＡ−２０００モデムを起動し、ＷＣＤＭＡシステムにダミーパイロット信号のレベル値を送信するステップと、（ｂ）ＷＣＤＭＡシステムから受信したダミーパイロット信号のレベル値に基づいて、ハンドオーバーを実行するか否かを判断するステップと、（ｃ）ステップ（ｂ）の判断の結果、ハンドオーバーを実行すると判断された場合、ＷＣＤＭＡシステムからＣＤＭＡ−２０００システムにハンドオーバー要求メッセージを送信するステップと、（ｄ）ＷＣＤＭＡシステムからマルチモード端末機にハンドオーバー命令メッセージを送信するステップと、（ｅ）マルチモード端末機のＣＤＭＡ−２０００モデムにトラフィックを切替えることを許可するステップと、を含む、ダミーパイロット信号を利用したＷＣＤＭＡ網からＣＤＭＡ−２０００網へのハンドオーバー実行方法が提供される。
【００１８】
本発明の別の観点によれば、ハンドオーバーを実行するか否かを判断するＷＣＤＭＡシステム、ダミーパイロット信号（Dummy Pilot Signal）を送信するＣＤＭＡ−２０００システム及びＷＣＤＭＡモデムとＣＤＭＡ−２０００モデムとを含むマルチモード（Multimode）端末機を利用して広帯域符号分割多重接続網（ＷＣＤＭＡ Network）から符号分割多重接続網（ＣＤＭＡ−２０００ Network）へのハンドオーバーを実行する方法であって、（ａ）マルチモード端末機でＷＣＤＭＡ信号レベル測定メッセージを受信するステップと、（ｂ）ＷＣＤＭＡ信号レベル測定メッセージからダミーパイロット信号を検知し、ダミーパイロット信号のレベル値と所定のしきい値とを比較するステップと、（ｃ）ダミーパイロット信号のレベル値が所定のしきい値より大きい場合、ＣＤＭＡ−２０００モデムを起動し、ダミーパイロット信号のレベル値をＷＣＤＭＡシステムに送信するステップと、（ｄ）ＷＣＤＭＡシステムでダミーパイロット信号のレベル値に基づいてハンドオーバーを実行するか否かを判断するステップと、（ｅ）ステップ（ｄ）の判断の結果、ハンドオーバーを実行すると判断された場合、ＣＤＭＡ−２０００システムにハンドオーバー要求メッセージを送信するステップと、（ｆ）ＷＣＤＭＡシステムからマルチモード端末機にハンドオーバー命令メッセージを送信するステップと、（ｇ）マルチモード端末機のＣＤＭＡ−２０００モデムにトラフィックを切り替えることを許可するステップと、を含む、ダミーパイロット信号を利用したＷＣＤＭＡ網からＣＤＭＡ−２０００網へのハンドオーバー実行方法が提供される。
【００１９】
本発明のさらに別の観点によれば、ダミーパイロット信号（Dummy Pilot Signal）を利用して広帯域符号分割多重接続網（ＷＣＤＭＡ Network）から符号分割多重接続網（ＣＤＭＡ−２０００ Network）へのハンドオーバーを実行するシステムであって、ＷＣＤＭＡ信号レベル測定メッセージを受信し、ＷＣＤＭＡ信号レベル測定メッセージから所定レベル以上のダミーパイロット信号を検知した場合、内蔵されたＣＤＭＡ−２０００モデムを起動し、ダミーパイロット信号のレベル値を送信するマルチモード端末機と、マルチモード端末機からダミーパイロット信号のレベル値を受信し、ハンドオーバーを実行するか否かを判断し、ハンドオーバー要求メッセージまたはハンドオーバー命令メッセージを送信するＷＣＤＭＡシステムと、ダミーパイロット信号をマルチモード端末機に送信するＣＤＭＡ−２０００システムと、を含む、ダミーパイロット信号を利用したＷＣＤＭＡ網からＣＤＭＡ−２０００網へのハンドオーバー実行システムが提供される。
【００２０】
本発明のさらに別の観点によれば、ダミーパイロット信号（Dummy Pilot Signal）を利用して広帯域符号分割多重接続網（ＷＣＤＭＡ Network）から符号分割多重接続網（ＣＤＭＡ−２０００ Network）へのハンドオーバーを実行するためのＷＣＤＭＡシステムであって、マルチモード（Multimode）端末機からダミーパイロット信号のレベル値を受信し、受信したダミーパイロット信号を送信する基地局（ＲＴＳ：Radio Transceiver Subsystem）と、基地局からダミーパイロット信号のレベル値を受信し、マルチモード端末機のためにハンドオーバーを実行するか否かを判断し、ハンドオーバー要求メッセージまたはハンドオーバー命令メッセージを送信する無線網制御部（ＲＮＣ：Radio Network Controller）と、を含むＷＣＤＭＡシステムが提供される。
【００２１】
本発明のさらに別の観点によれば、ダミーパイロット信号（Dummy Pilot Signal）を利用して広帯域符号分割多重接続網（ＷＣＤＭＡ Network）から符号分割多重接続網（ＣＤＭＡ−２０００ Network）へのハンドオーバーを実行するためのＣＤＭＡ−２０００システムであって、事前に割り当てられた特定のスクランブルコード（Scramble Code）を含むＷＣＤＭＡパイロット信号である前記ダミーパイロット信号を、マルチモード（Multimode）端末機に送信する基地局伝送器（ＢＴＳ：Base Transceiver Station）と、ＷＣＤＭＡシステムからハンドオーバー要求メッセージを受信する基地局制御器（ＢＳＣ：Base Station Controller）と、を含むＣＤＭＡ−２０００システムが提供される。
【００２２】
本発明のさらに別の観点によれば、同期式ＣＤＭＡ−２０００サービス及び非同期式ＷＣＤＭＡサービスの両方を利用可能であり、２つ以上の周波数帯域を利用するマルチモード端末機であって、ＣＤＭＡ−２０００信号及びＷＣＤＭＡ信号のうち少なくともいずれか一方を送受信するＲＦ（Radio Frequency）アンテナと、ＲＦアンテナから送信されるダミーパイロット（Dummy Pilot）信号を受信及び復調し、復調されたダミーパイロット信号を出力するＲＦ送受信部と、復調されたダミーパイロット信号の強度を測定するパイロット信号測定部と、ＲＦ送受信部から受信したディジタル信号を処理し、ＷＣＤＭＡ規格及びＣＤＭＡ−２０００規格でそれぞれ定義されたプロトコル（Protocol）によって呼処理（Call Processing）を行うＷＣＤＭＡモデム及びＣＤＭＡ−２０００モデムと、ＷＣＤＭＡシステムの命令によってＷＣＤＭＡモデムとＣＤＭＡ−２０００モデムとの間の切替を行うモデム間切替プログラムが格納されているフラッシュメモリ（Flash Memory）と、所定レベル以上の前記ダミーパイロット信号が検知された場合、前記ＣＤＭＡ−２０００モデムを起動し、前記ＷＣＤＭＡシステムに前記ダミーパイロット信号のレベル値が送信されるように制御する制御部と、を含むことを特徴とするマルチモード端末機が提供される。
【発明の効果】
【００２３】
以上説明したように、本発明によれば、マルチモード端末機がＷＣＤＭＡ網からＣＤＭＡ−２０００網へ移動するとき、ハンドオーバーが実行される。これにより、ＷＣＤＭＡ網で音声通話中の加入者がＣＤＭＡ−２０００網に移動しても、呼切断されないで、相手の加入者と連続的に通話することができる。
【００２４】
さらに本発明によれば、マルチモード端末機が、ＷＣＤＭＡ方式を利用したサービスを受信中に、ＣＤＭＡ−２０００網の信号を検知しなくてもハンドオーバーが可能となる。さらに、国際標準規格で定義されたメッセージを任意に変形させなくても、高性能のハンドオーバーを実行することが可能となる。これにより、既存のシステムを利用してハンドオーバーを実行することが可能となる。
【００２５】
したがって、本発明によれば、移動通信事業者に優れた通話品質を提供し、ネットワークの柔軟性を高めることができるようにするという効果がある。
【発明を実施するための最良の形態】
【００２６】
以下、本発明の好適な実施形態を添付の図面を参照しつつ詳細に説明する。まず、各図面の構成要素に参照符号を付加することにおいて、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００２７】
図２は、本発明の好適な実施形態に係るハンドオーバーのための網構造を示す概略図である。
【００２８】
図２を参照すると、マルチモード端末機２２４がＣＤＭＡ−２０００地域２１０からＷＣＤＭＡ地域２２０及び２３０へ移動する場合、ハンドオーバーを支援する必要はない。ＣＤＭＡ−２０００網は全国網であって、ＷＣＤＭＡ地域とＣＤＭＡ−２０００地域は常に重複するからである。したがって、ＣＤＭＡ−２０００方式で提供されるサービスを基にした音声通話の終了後にＷＣＤＭＡ網を検索すればよいため、呼が切断される可能性はない。一方、マルチモード端末機２２４がＷＣＤＭＡ地域２２０または２３０からＣＤＭＡ−２０００地域２１０へ移動する場合は、ハンドオーバーを支援しなければならない。本発明にかかる実施形態は、マルチモード端末機２２４がＷＣＤＭＡ地域２２０及び２３０からＣＤＭＡ−２０００地域２１０へ移動する場合に利用されるハンドオーバーを支援する。
【００２９】
本発明の好適な実施形態によれば、マルチモード端末機２２４は、ハンドオーバーを実行するためにＣＤＭＡ−２０００網の信号を検索する必要なしに、ＷＣＤＭＡシステムである無線網制御部（ＲＮＣ：Radio Network Controller）２２２に信号レベル測定情報を送信する方法を用い、それによりダミーパイロット信号を利用したハンドオーバーを可能にする。ここで、ダミーパイロット信号とは、ＣＤＭＡ−２０００地域２１０とＷＣＤＭＡ地域２２０、２３０との境界地域２３０にあるＣＤＭＡ−２０００基地局伝送器（ＢＴＳ：Base Transceiver System）２１２及び２１４から送信される、ＷＣＤＭＡの特定のパイロット信号をいう。一般に、パイロット信号を他の信号と区別する方法として、スクランブルコード（Scramble Code）が用いられる。すなわち、ダミーパイロット信号用に特定のスクランブルコードが事前に割り当てられる。このようにして、マルチモード端末機２２４は、ＣＤＭＡ−２０００網の信号を検知する必要なしにＷＣＤＭＡダミーパイロット信号を検知し、ハンドオーバーを要求できることになる。したがって、マルチモード端末機２２４は、ＷＣＤＭＡ方式での通話中にＣＤＭＡ−２０００基地局伝送器２１２、２１４を検知する必要がなく、既存のＷＣＤＭＡ方式で定義されたハンドオーバーパラメータ及びメッセージをそのまま使用することができる。したがって、国際標準規格を変更することなく、ハンドオーバーを実行することが可能となる。
【００３０】
図３は、本発明の好適な実施形態に係る、ダミーパイロット信号を利用してＷＣＤＭＡ網からＣＤＭＡ−２０００網にハンドオーバーするシステムを示すブロック構成図である。
【００３１】
図３に示すように、本発明の好適な実施形態に係る、ダミーパイロット信号を利用してＷＣＤＭＡ網からＣＤＭＡ−２０００網にハンドオーバーするシステムは、マルチモード端末機３００、ＷＣＤＭＡシステム３１０、ＣＤＭＡ−２０００システム３２０及びプロトコル変換機３３０などを含むことができる。
【００３２】
本発明の好適な実施形態に係るマルチモード端末機３００は、ＷＣＤＭＡ信号レベル測定メッセージを受信し、ＷＣＤＭＡ信号レベル測定メッセージから所定レベル以上のダミーパイロット信号を検知した場合、マルチモード端末機３００は、ＣＤＭＡ−２０００モデムを起動し、ダミーパイロット信号のレベル値をＷＣＤＭＡシステム３１０に送信する。さらに、マルチモード端末機３００は、共同パイロットチャンネル（ＣＰＩＣＨ：Common Pilot Channel）を周期的に検索してＷＣＤＭＡ信号レベル測定メッセージを受信する。共同パイロットチャンネルで、１つのスロットは２５６０チップ（Chip）からなっており、２０ビットの１０シンボルで構成される。また、１つのフレームは１５個のスロット（Slot）から構成されており、全体のフレーム数は７２個である。
【００３３】
本発明の好適な実施形態に係るマルチモード端末機３００は、同期式ＣＤＭＡ−２０００サービスと非同期式ＷＣＤＭＡサービスとの両方の利用が可能であり、２つ以上の周波数帯域の利用が可能である。したがって、マルチモード端末機３００は、ＣＤＭＡ−２０００モデム及びＷＣＤＭＡモデムの両方を具備している。
【００３４】
また、本発明の好適な実施形態に係るマルチモード端末機３００は、ＷＣＤＭＡシステム３１０からハンドオーバー命令メッセージを受信すると、マルチモード端末機３００のＣＤＭＡ−２０００モデムにトラフィックが切り替えられる。即ち、マルチモード端末機３００のＣＤＭＡ−２０００モデムがオン状態に切り替えられ、ＷＣＤＭＡモデムがオフ状態に切り替えられる。
【００３５】
以下、図４を参照して、マルチモード端末機３００の詳細な内部構成について説明する。
【００３６】
本発明の好適な実施形態に係るＷＣＤＭＡシステム３１０は、マルチモード端末機３００からダミーパイロット信号のレベル値を受信し、ハンドオーバーを実行うするか否かを判断する。判断結果に基づいて、ＷＣＤＭＡシステム３１０は、ハンドオーバー要求メッセージをＣＤＭＡ−２０００システム３２０に送信したり、あるいはハンドオーバー命令メッセージをマルチモード端末機３００に送信する。さらに、ＷＣＤＭＡシステム３１０は、ＷＣＤＭＡ信号レベル測定メッセージをマルチモード端末機３００に送信する。ここで、ＷＣＤＭＡ信号レベル測定メッセージは、マルチモード端末機３００が検索しなければならない周辺基地局の情報及びダミーパイロット信号の情報を含んでいる。
【００３７】
本発明の好適な実施形態に係るＷＣＤＭＡシステム３１０は、基地局（ＲＴＳ：Radio Transceiver Subsystem）３１１及び無線網制御部（ＲＮＣ：Radio Network Controller）３１２などを含むことができる。
【００３８】
ＷＣＤＭＡシステム３１０の基地局３１１は、３ＧＰＰ無線接続規格に適合するマルチモード端末機３００を用いて無線接続終端機能を実行し、音声、映像及びデータトラフィックをＷＣＤＭＡ方式により送受信し、送受信アンテナを介してマルチモード端末機３００から情報を送受信する。さらに、本発明の好適な実施形態に係る基地局３１１は、マルチモード端末機３００からダミーパイロット信号のレベル値を受信して無線網制御部３１２に送信する。
【００３９】
ＷＣＤＭＡシステム３１０の無線網制御部３１２は、有無線チャンネル管理（Resource Management）、端末機プロトコル整合、基地局プロトコル整合、ソフトハンドオーバー処理、基幹回線網プロトコル処理、システムローディング及び障害管理などのような基地局３１１及び無線制御局の管理機能を担当する。本発明の好適な実施形態に係る無線網制御部３１２は、基地局３１１からダミーパイロット信号のレベル値を受信し、受信したレベル値に基づいてマルチモード端末機３００のハンドオーバーの可否を判断する。ハンドオーバーをしなければならないと判断した場合、無線網制御部３１２は、ＣＤＭＡ−２０００システム３２０にハンドオーバー要求メッセージを送信する。その後、送信したハンドオーバー要求メッセージに対する応答メッセージを受信したら、無線網制御部３１２は、マルチモード端末機３００にハンドオーバー命令メッセージを送信する。
【００４０】
本発明の好適な実施形態に係るＣＤＭＡ−２０００システム３２０は、ダミーパイロット信号をマルチモード端末機３００に送信する。ここで、ダミーパイロット信号はＷＣＤＭＡパイロット信号であって、他のパイロット信号と区分するための所定のスクランブルコードが事前に割り当てられている。
【００４１】
本発明の好適な実施形態に係るＣＤＭＡ−２０００システム３２０は、基地局伝送器（ＢＴＳ：Base Transceiver Station）３２１及び基地局制御器（ＢＳＣ：Base Station Controller）３２２を含んでもよい。
【００４２】
ＣＤＭＡ−２０００システム３２０の基地局伝送器３２１は、ベースバンド信号処理、有線／無線変換、無線信号の送受信などを実行し、マルチモード端末機３００と直接的に連結される終端（Endpoint）装置である。本発明の好適な実施形態に係る基地局伝送器３２１は、ダミーパイロット信号をマルチモード端末機３００に送信する。ここで、ダミーパイロット信号は、ＷＣＤＭＡ網とＣＤＭＡ−２０００網の境界地域に位置する基地局伝送器３２１から送信される。
【００４３】
ＣＤＭＡ−２０００システム３２０の基地局制御器３２２は、多数の基地局伝送器３２１を制御及び管理し、ハンドオーバーを含んだ無線呼処理に必要な諸機能を実行する。即ち、基地局制御器３２２は、マルチモード端末機３００に対する無線チャンネル割当及び解除、マルチモード端末機３００及び基地局伝送器３２１の送信出力制御、セル間ソフトハンドオーバー（Soft Handover）及びハードハンドオーバー（Hard Handover）の決定、トランスコーディング（Transcoding）及びボコーディング（Vocoding）、ＧＰＳ（Global Positioning System）クロック分配、基地局伝送器３２１に対する運用及びメンテナンス機能などを実行する。本発明の好適な実施形態に係る基地局制御器３２２は、ＷＣＤＭＡシステム３１０の無線網制御部３１２からハンドオーバー要求メッセージを受信し、それに対する応答メッセージを送信する。
【００４４】
本発明の好適な実施形態に係るプロトコル変換機３３０は、ＷＣＤＭＡシステム３１０とＣＤＭＡ−２０００システム３２０との間の連動のために２つのシステム間で交換されるメッセージのプロトコルを変換する機能を実行する。
【００４５】
図４は、本発明の好適な実施形態に係るマルチモード端末機３００の内部構成を示すブロック構成図である。
【００４６】
本発明の好適な実施形態に係るマルチモード端末機３００は、ＲＦアンテナ４１０、ＲＦ送受信部４２０、フィルタ部４３０、モデム部４４０、パイロット信号測定部４５０、制御部４６０及びフラッシュメモリ４７０などを含むことができる。
【００４７】
本発明の好適な実施形態に係るＲＦアンテナ４１０は、周辺の無線基地局から送信されるＲＦ信号を受信し、受信したＲＦ信号をＲＦ送受信部４２０に伝達する。ＲＦ送受信部４２０は、ＲＦアンテナ４１０からＲＦ信号を受信し、受信したＲＦ信号を復調して、復調されたＲＦ信号をフィルタ部４３０に伝達する。さらに、ＲＦ送受信部４２０は、制御部４６０の制御によりフィルタ部４３０及びモデム部４４０を通じて受信した送信データを変調し、ＲＦアンテナ４１０を通じて送信する。
【００４８】
本発明の好適な実施形態に係るフィルタ部４３０は、ＷＣＤＭＡサービスのためのＷＣＤＭＡフィルタ４３２と、ＣＤＭＡ−２０００サービスのためのＣＤＭＡ−２０００フィルタ４３４とを含む。同様に、本発明の好適な実施形態に係るモデム部４４０は、ＷＣＤＭＡサービスのためのＷＣＤＭＡモデム４４２と、ＣＤＭＡ−２０００サービスのためのＣＤＭＡ−２０００モデム４４４とを含む。フィルタ部４３０は、マルチモード端末機３００の動作モードによって、ＲＦ送受信部４２０から受信した、復調されたＲＦ信号からＷＣＤＭＡフィルタ４３２やＣＤＭＡ−２０００フィルタ４３４を利用して所望のデジタル信号のみを抽出する。その後、フィルタ部４３０は、抽出したデジタル信号をモデム部４４０に伝達する。さらに、モデム部４４０は、フィルタ部４３０から受信したデジタル信号を処理し、ＷＣＤＭＡ標準規格やＣＤＭＡ−２０００標準規格に定義されたプロトコルにしたがって、呼処理（Call Processing）を担当する。
【００４９】
本発明の好適な実施形態に係るパイロット信号測定部４５０は、ＲＦアンテナ４１０及びＲＦ送受信部４２０を通じてＷＣＤＭＡパイロット信号を受信し、パイロット信号の強度を測定する。その後、パイロット信号測定部４５０は、測定したパイロット信号の強度を制御部４６０に伝達する。ここで、パイロット信号の強さは、通常、キャリアのエネルギー／他の障害（Ｅｃ／Ｉｏ：Energy of Carrier/Interference of Others）として測定される。Ｅｃ／Ｉｏは、受信される全ての雑音の大きさに対するパイロットチャンネルの信号強度の割合であって、パイロットチャンネルの信号品質を表す単位として利用される。一般に、Ｅｃ／Ｉｏ値は通話量が少なくて電波が重ならない地域では約−１〜−２ｄＢ、通話量が多くて電波が重なる地域では約−６〜−１２ｄＢ、電波が重なる高層ビルの上層部などでは約−１０ｄＢ程度の値を有する。また、Ｅｃ／Ｉｏ値が−１０〜−１４ｄＢのとき、音断絶現象が発生し、−１４ｄＢ以下では通話不能状態となる。
【００５０】
本発明の好適な実施形態に係る制御部４６０は、マルチモード端末機３００の全般的な動作を制御する部分であって、受信したＲＦ信号の種類（ＷＣＤＭＡ信号やＣＤＭＡ−２０００信号）によって、ＷＣＤＭＡモードとＣＤＭＡ−２０００モードとのうち、１つのモードを選択し、選択されたモードで動作するようにマルチモード端末機３００を制御する。また、特定の動作モードが選択されれば、制御部４６０は、モデム部４４０に制御信号を伝送し、ＷＣＤＭＡモデム４４２及びＣＤＭＡ−２０００モデム４４４のうち、該当するモデムが起動するように制御する。
【００５１】
より詳細に説明すれば、制御部４６０は、パイロット信号測定部４５０から受信したダミーパイロット信号のレベル値をチェックし、レベル値がＣＤＭＡ−２０００モデム４４４の起動のために既に設定されたしきい値以下であるかどうかを継続的に判断する。測定したダミーパイロット信号のレベル値がしきい値より小さくなり始めれば、制御部４６０は、ＣＤＭＡ−２０００モデム４４４を起動し、測定されたダミーパイロット信号のレベル値をＷＣＤＭＡシステム３１０の基地局３１１に送信するように制御する。
【００５２】
一方、本発明の好適な実施形態において、フラッシュメモリ４７０は、制御部４６０がパイロット信号測定部４５０から受信したダミーパイロット信号のレベル値を利用してモデム間の切替を速かに実行するためのモデム間切替プログラム格納している。したがって、パイロット信号測定部４５０が測定したレベル値が既に設定されたしきい値より小さいとき、制御部４６０は、フラッシュメモリ４７０に格納されたモデム間切替プログラムをローディングする。
【００５３】
図５は、本発明の好適な実施形態によって、マルチモード端末機３００がＷＣＤＭＡ地域２２０及び２３０からＣＤＭＡ−２０００地域２１０へ移動する場合の、ＣＤＭＡ−２０００モデム４４４の動作条件を示すグラフである。
【００５４】
ＷＣＤＭＡ地域２２０及び２３０において、ＷＣＤＭＡモードで動作しているマルチモード端末機３００は、ＣＤＭＡ−２０００システム３２０の基地局伝送器３２１から受信したＷＣＤＭＡダミーパイロット信号のレベル値が、既に設定されたレベル値のしきい値より小さくなり始める地点であるａ地点で、ＣＤＭＡ−２０００モデム４４４が起動するように制御する。
【００５５】
図６は、本発明の好適な実施形態に係るダミーパイロット信号を利用してＷＣＤＭＡ網からＣＤＭＡ−２０００網にハンドオーバーする過程を示すフローチャートである。
【００５６】
まず、マルチモード端末機３００は、ＷＣＤＭＡシステム３１０からＷＣＤＭＡ信号レベル測定メッセージを送信する（Ｓ６００）。送受信されるＷＣＤＭＡ信号レベル測定メッセージには、マルチモード端末機３００が検索するべき周辺の基地局の情報及びダミーパイロット信号情報が含まれている。ＷＣＤＭＡ信号レベル測定メッセージを受信したマルチモード端末機３００は、ＷＣＤＭＡ信号レベル測定メッセージからダミーパイロット信号を検知し、ダミーパイロット信号のレベル値を測定する（Ｓ６０２）。
【００５７】
そして、マルチモード端末機３００は、測定されたレベル値を既に設定されたレベル値のしきい値と比較する（Ｓ６０４）。比較の結果、測定されたレベル値が既に設定されたレベル値のしきい値より大きければ、マルチモード端末機３００は、ＣＤＭＡ−２０００モデム４４４を起動し、ＷＣＤＭＡシステム３１０にダミーパイロット信号のレベル値を送信する（Ｓ６０６）。
【００５８】
ＷＣＤＭＡシステム３１０は、マルチモード端末機３００が測定して送信した値に基づいて、ＣＤＭＡ−２０００網とのハンドオーバーの可否を判断する（Ｓ６０８）。ここで、ＷＣＤＭＡシステム３１０は、判断結果をＣＤＭＡ−２０００システム３２０の基地局制御器３２２に通知しなければならない。即ち、ハンドオーバーが必要であると判断されれば、ＷＣＤＭＡシステム３１０は、ハンドオーバー要求メッセージをＣＤＭＡ−２０００システム３２０の基地局制御器３２２に送信しなければならない（Ｓ６１０）。ここで、ＷＣＤＭＡ方式とＣＤＭＡ−２０００方式とは送受信されるメッセージのプロトコル構造が相異しているので、ＷＣＤＭＡシステム３１０の無線網制御部３１２は、ＣＤＭＡ−２０００システム３２０の基地局制御器３２２に直接ハンドオーバー要求メッセージを送信することはできない。したがって、ＷＣＤＭＡシステム３１０の無線網制御部３１２は、まずプロトコル変換のためにプロトコル変換機３３０にハンドオーバー要求メッセージを送信する。その後、プロトコル変換機３３０は、ハンドオーバー要求メッセージのプロトコルを変換し、変換されたハンドオーバー要求メッセージをＣＤＭＡ−２０００システム３２０の基地局制御器３２２に送信する。
【００５９】
ハンドオーバー要求メッセージを受信したＣＤＭＡ−２０００システム３２０の基地局制御器３２２は、ハンドオーバー要求に対する応答メッセージを、プロトコル変換機を経てＷＣＤＭＡシステム３１０の無線網制御部３１２に送信する（Ｓ６１２）。ＷＣＤＭＡシステム３１０の無線網制御部３１２は、この要求メッセージに基づいてマルチモード端末機３００にハンドオーバー命令メッセージを送信する（Ｓ６１４）。マルチモード端末機３００がハンドオーバー命令メッセージを受信したとき、マルチモード端末機３００は、事前に起動していたＣＤＭＡ−２０００モデム４４４にトラフィックが切り替えられるように制御する（Ｓ６１６）。
【００６０】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は、本発明の技術思想を限定するためのものでなく、説明するためのものであり、このような実施形態によって本発明の技術思想の範囲が限定されるのではない。本発明の範囲は、請求範囲により解釈されなければならず、それと同等な範囲内にある全ての技術思想は、本発明の権利範囲に含まれることと解釈されるべきである。
【産業上の利用可能性】
【００６１】
以上、説明したように、本発明によれば、マルチモード端末機がＷＣＤＭＡ網からＣＤＭＡ−２０００網へ移動するとき、ハンドオーバーが実行される。これにより、ＷＣＤＭＡ網で音声通話中の加入者がＣＤＭＡ−２０００網に移動しても、呼切断されないで、相手の加入者と連続的に通話することができる。
【００６２】
さらに本発明によれば、マルチモード端末機が、ＷＣＤＭＡ方式を利用したサービスを受信中に、ＣＤＭＡ−２０００網の信号を検知しなくてもハンドオーバーが可能となる。さらに、国際標準規格で定義されたメッセージを任意に変形させなくても、高性能のハンドオーバーを実行することが可能となる。これにより、既存のシステムを利用してハンドオーバーを実行することが可能となる。
【００６３】
したがって、本発明によれば、移動通信事業者に優れた通話品質を提供し、ネットワークの柔軟性を高めることができるようにするという効果がある。
【図面の簡単な説明】
【００６４】
【図１】ＣＤＭＡ−２０００網及びＷＣＤＭＡ網が共存する移動通信網を示す概略図である。
【図２】本発明の好適な実施形態に係るハンドオーバーのための網構造を示す概略図である。
【図３】本発明の好適な実施形態に係るダミーパイロット信号を利用してＷＣＤＭＡ網からＣＤＭＡ−２０００網にハンドオーバーするシステムを示すブロック図である。
【図４】本発明の好適な実施形態に係るマルチモード端末機の内部構成を示すブロック図である。
【図５】本発明の好適な実施形態に係るマルチモード端末機がＷＣＤＭＡ地域からＣＤＭＡ−２０００地域へ移動する場合のＣＤＭＡ−２０００モデムの動作条件を示すグラフである。
【図６】本発明の好適な実施形態に係るダミーパイロット信号を利用してＷＣＤＭＡ網からＣＤＭＡ−２０００網にハンドオーバーする過程を示すフローチャートである。
【図１】
2007511952.tif 000003
【図２】
2007511952.tif 000004
【図３】
2007511952.tif 000005
【図４】
2007511952.tif 000006
【図５】
2007511952.tif 000007
【図６】
2007511952.tif 000008
【国際調査報告】
2007511952.tif 000009
2007511952.tif 000010